(57)【要約】【課題】展示状態での美観に優れ、かつ、低コストで製造できる輸送・展示兼用箱を提供する。【解決手段】商品Ｇを収納する外箱１と、折り畳んで外箱１に同梱される台２とを備え、台２を外箱１から取り出して組み立て、外箱１を台２により支持した状態で、外箱１の開口部から露出した商品Ｇを展示する輸送・展示兼用箱において、前記台２と共に折り畳んで外箱１に同梱される環状のカバー３を構成部材として付加し、展示状態では、外箱１から取り出したカバー３を外箱１の外周に被せることにより、輸送時に傷や汚れの付きやすい外箱１の外周を隠し、カバー３の表面が見えるようにして、外箱１の折り返されるフラップ１３の裏面への印刷等を不要とする。【選択図】図１
2008296942.tif 000002
【特許請求の範囲】
【請求項１】
商品展示用の開口部を形成することにより、展示箱に変形可能な外箱(1)内に、展示箱に変形した外箱(1)を載置する台(2)を商品と共に同梱した輸送・展示兼用箱において、前記外箱(1)内に、展示箱に変形させた外箱(1)の胴部外周に巻き付けるカバー(3)を同梱したことを特徴とする輸送・展示兼用箱。
【請求項２】
請求項１に記載の輸送・展示兼用箱において、前記外箱(1)に胴枠(4)を内挿し、カバー(3)に、展示箱に変形させた外箱(1)の開口縁を包むように内側へ折り曲げて、外箱(1)と胴枠(4)の間に差し込む折曲片(35)を設けたことを特徴とする輸送・展示兼用箱。
【請求項３】
請求項２に記載の輸送・展示兼用箱において、前記胴枠(4)に切欠部(4a)を設け、カバー(3)の折曲片(35)に、胴枠(4)の切欠部(4a)に案内される突出部(35a)を形成したことを特徴とする輸送・展示兼用箱。
【請求項４】
請求項３に記載の輸送・展示兼用箱において、前記突出部(35a)の先端縁を波状縁(35b)としたことを特徴とする輸送・展示兼用箱。
【請求項５】
請求項１乃至４のいずれか１項に記載の輸送・展示兼用箱において、前記台(2)に、展示状態で外箱(1)を載せる載置板(26)を切り起こして、外箱(1)の下部を当接させるストッパ片(26b)を設けたことを特徴とする輸送・展示兼用箱。
【請求項６】
請求項５に記載の輸送・展示兼用箱において、前記台(2)に、載置板(26)から延びる脚板(27)を設け、この脚板(27)を枠部分に係合させるロック片(27a)及びロック穴(23a)を設けたことを特徴とする輸送・展示兼用箱。
【発明の詳細な説明】
【技術分野】
【０００１】
この発明は、輸送用の外箱が展示箱を兼用し、展示箱とした外箱を載せる台等が外箱に同梱される輸送・展示兼用箱に関するものである。
【背景技術】
【０００２】
従来、下記特許文献１には、図１１に示すように、商品を収納する外箱５１と、これに付属する台５２とから成り、輸送時には、台５２を折り畳んで、商品と共に外箱５１に同梱しておき、展示時には、フラップ５３を開いて開口部を形成した外箱５１を台５２に載置して、商品を展示する輸送・展示兼用箱が記載されている。
【０００３】
この輸送・展示兼用箱では、フラップ５３を折り返した状態で、外箱５１を台５２の側壁５４で挟み込むことにより、輸送中に傷や汚れが付きやすい外箱５１の側壁をフラップ５３で覆い、折り返しに伴い露出するフラップ５３の裏面に施した印刷や化粧紙により、外箱５１の両側を美装された広告面とし、広告効果の向上を図っている。
【０００４】
【特許文献１】特開平９−３７９０２号公報
【発明の開示】
【発明が解決しようとする課題】
【０００５】
ところで、上記のような輸送・展示兼用箱の外箱５１を製造する際には、通常、ブランクの表面に商品名等を表示する粗いフレキソ印刷を施すが、これに加えて、裏面に展示用の精細なオフセット印刷等の美装仕上げを施すためには、特殊な製造ラインを用意する必要が生じ、コストが著しく上昇するという問題がある。
【０００６】
そこで、この発明は、展示状態での美観に優れ、かつ、低コストで製造できる輸送・展示兼用箱を提供することを課題とする。
【課題を解決するための手段】
【０００７】
上記のような課題を解決するため、この発明は、商品展示用の開口部を形成することにより、展示箱に変形可能な外箱内に、展示箱に変形した外箱を載置する台を商品と共に同梱した輸送・展示兼用箱において、前記外箱内に、展示箱に変形させた外箱の胴部外周に巻き付けるカバーを同梱し、展示状態では、輸送時に傷や汚れが付きやすい外箱の胴部の外周をカバーで隠し、カバーの表面が見えるようにしたのである。
【０００８】
また、前記外箱に胴枠を内挿し、カバーに、展示箱に変形させた外箱の開口縁を包むように内側へ折り曲げて、外箱と胴枠の間に差し込む折曲片を設けることにより、外箱にカバーを固定できるようにすると共に、外箱の開口縁の露出を防止して、美観を向上させることとしたのである。
【０００９】
前記胴枠に切欠部を設け、カバーの折曲片に、胴枠の切欠部に案内される突出部を形成することにより、展示状態への変形に際し、カバーの外箱へのセットが容易にできるようにしたのである。
【００１０】
さらに、前記突出部の先端縁を波状縁とすることにより、カバーのセットに際し、突出部の先端縁に沿って手が滑り、手が切れる危険性を防止することとしたのである。
【００１１】
また、前記台に、展示状態で外箱を載せる載置板を切り起こして、外箱の下部を当接させるストッパ片を設けることにより、外箱のずれを防止し、傾斜角度を維持できるようにしたのである。
【００１２】
さらに、前記台に、載置板から延びる脚板を設け、この脚板を枠部分に係合させるロック片及びロック穴を設けることにより、脚板のふらつきを防止して、台の保形性を高め、安定した展示ができるようにしたのである。
【発明の効果】
【００１３】
この発明に係る輸送・展示兼用箱では、カバーにより外箱の胴部外周を覆うので、外箱に両面印刷を施すことなく、カバーの表面側の印刷だけで、美観に優れた展示を行うことができ、製造に要するコストを抑制しつつ、高い広告効果を得ることができる。
【発明を実施するための最良の形態】
【００１４】
以下、この発明の実施形態を添付図面に基づいて説明する。
【００１５】
第１実施形態に係る輸送・展示兼用箱は、図１に展示状態で示すように、商品Ｇを収納する外箱１と、外箱１を支持する台２と、外箱１の胴部外周に被せられるカバー３と、外箱１に内挿される胴枠４及びスペーサ５とから構成される。外箱１、台２、胴枠４及びスペーサ５は、段ボールを材料とし、カバー３は、単層の板紙を材料とする。
【００１６】
図２乃至図４は、この輸送・展示兼用箱による商品の梱包過程を示す。図示のように、外箱１は、通常の溝切型段ボール箱であり、周壁を形成する各一対の側壁１１及び端壁１２の上端からフラップ１３が延出されたものとされている。輸送時には、この外箱１の内部に、商品Ｇと共に、台２及びカバー３が折り畳んだ状態で収納される。
【００１７】
台２は、図５（ａ）に示すブランクから成る。このブランクでは、前壁２１の一側に側壁２２、後壁２３及び側壁２２が順次連設され、前壁２１の他側に継代片２４が連設されて、これらの連設部に２本の押罫に挟まれた稜部が介在している。前壁２１は後壁２３よりも低く、各側壁２２の上端には斜辺部が形成され、側壁２２の中間には、押罫と切目が断続するリード罫の中折線２２ａが上下方向に入れられている。
【００１８】
前壁２１の上端には、段折板２５、載置板２６及び脚板２７が順次連設され、載置板２６の両側には折込片２６ａが連設されている。載置板２６と折込片２６ａの稜部には、２本の切目間にストッパ片２６ｂが形成され、載置板２６と段折板２５及び折込片２６ａの境界と、ストッパ片２６ｂの両端には、リード罫が入れられている。
【００１９】
ストッパ片２６ｂには引起し用の指入穴２６ｃが設けられ、載置板２６と脚板２７の稜部には解体用の指入穴２６ｄが設けられている。脚板２７の先端部には、ハ字状に切目を入れて先広がりのロック片２７ａが形成され、後壁２３の下端部には、角型の切込によりロック穴２３ａが形成されている。後壁２３の上端には、背折板２８が連設されている。
【００２０】
この台２のブランクの製造に際しては、胴部を形成する前壁２１、一対の側壁２２及び後壁２３を筒状に折り曲げ、継代片２４を反対側の側壁２２に貼り付けて、載置板２６の裏側へ折込片２６ａを折り重ね、脚板２７を載置板２６の表側へ折り返す。
【００２１】
一方、カバー３は、図５（ｂ）にブランクで示す２枚のカバー部材３１から成る。各カバー部材３１のブランクでは、側板部３２の一側に端板部３３が、他側に継代片３４がそれぞれ２本のリード罫に挟まれた稜部を介して連設され、端板部３３の中間には、押罫の中折線３３ａが上下方向に入れられている。そして、側板部３２及び端板部３３の表面にオフセット印刷等による美装仕上が施されている。
【００２２】
また、側板部３２の一端縁には押罫を介して折曲片３５が連設され、折曲片３５の先端縁は、両側から中央側へテーパ状に迫り出し、その中間部分に突出部３５ａが形成されている。突出部３５ａの先端縁は、波長４ｍｍの波状縁３５ｂとされている。
【００２３】
このカバー３のブランクの製造に際しては、２枚のカバー部材３１の継代片３４を、互いに相手側の端板部３３の外端部分に貼り付けて、各一対の側板部３２及び端板部３３が環状となるように形成し、折曲片３５を内側へ折り曲げる。
【００２４】
いま、図２に示すように、商品Ｇを梱包する際には、外箱１のフラップ１３を開いた状態で、一対の胴枠４を外箱１に挿入する。ここで、胴枠４は、一対の側枠板４１と棚板４２とをコ字状に折り曲げ、側枠板４１の上端縁にそれぞれ棚板４２側が深くなる弧状の切欠部４ａを設けたものであり、棚板４２同士を突き合わせるように配置する。
【００２５】
次に、胴枠４で区画された外箱１の内部に商品Ｇを収納し、商品Ｇと棚板４２の間及び商品Ｇと一方の端壁１２の間に、長方形の板材を二つ折りにしたスペーサ５を差し込む。このスペーサ５の折曲部の弾性により、輸送中における外箱１内での商品Ｇのガタつきが防止される。
【００２６】
そして、図３に示すように、台２を中折線２２ａに沿って扁平に折り畳み、カバー３を中折線３３ａに沿って扁平に折り畳んだ状態で、台２及びカバー３を商品Ｇの上に載せて外箱１に収納し、図４に示すように、外箱１のフラップ１３を閉じ、粘着テープ等により外箱１を封緘する。
【００２７】
このように梱包した状態で商品Ｇを小売店へ配送し、店頭で商品Ｇを陳列する際には、上記梱包手順とは逆に、図３に示すように、外箱１のフラップ１３を開いて、外箱１から折り畳まれた台２及びカバー３を取り出す。
【００２８】
次に、図６に示すように、台２を組み立てるため、中折線２２ａでの折り曲げを伸ばして、前壁２１、一対の側壁２２及び後壁２３を角筒状に形成し、段折板２５及び載置板２６を後方へ折り曲げ、脚板２７を下方へ折り曲げて後壁２３の内面に沿わせ、ロック片２７ａをロック穴２３ａに押し込んで、脚板２７と後壁２３とを係合させる。また、指入穴２６ｃに指を入れて、ストッパ片２６ｂを引き起こす。
【００２９】
このように台２を組み立てると、載置板２６は後方へかけて低くなるように傾斜し、ロック片２７ａのロック穴２３ａへの押し込みにより、脚板２７のふらつきが防止されて、載置板２６が安定し、載置板２６の周囲が前壁２１、一対の側壁２２及び後壁２３に内接して、台２が確実に保形される。
【００３０】
また、図７に示すように、カバー３を、中折線３３ａでの折り曲げを伸ばして、折畳状態から角筒状に形成し、外箱１のフラップ１３を開いて外側へ折り返した状態で、図８に示すように、カバー３をフラップ１３を取り巻くように外箱１の外周に被せ、折曲片３５の突出部３５ａを、胴枠４の切欠部４ａの位置に合わせて、折曲片３５を外箱１の側壁１１と胴枠４の側枠板４１との間に差し込む。
【００３１】
このとき、カバー３は、柔軟な単層の板紙であり、稜部にそれぞれ２本の罫線を有することから、外箱１に対して、寸法的にあまり遊びがなくても容易に被せられ、外箱１の外周に沿って、張りのある状態となる。
【００３２】
また、突出部３５ａが切欠部４ａに案内されるので、折曲片３５を外箱１の側壁１１と胴枠４の側枠板４１との間に容易に差し込むことができるほか、突出部３５ａの先端縁が波状縁３５ｂとされているので、突出部３５ａの先端縁に沿って手が滑ることがなく、手が切れる危険性も防止される。
【００３３】
そして、側板部３２と折曲片３５の稜部が外箱１の開口縁に一致すると、外箱１の高さ方向に対してカバー３がずれることなく位置決めされる。なお、フラップ１３は、外箱１を開けた際、カッターナイフ等で根元から切り取っておいてもよい。
【００３４】
その後、図１に示すように、台２の背折板２８を後方へ折り曲げ、カバー３を被せた外箱１を、立てた状態で台２の載置板２６に載せ、後方へ傾けた状態で、台２により支持する。このとき、外箱１は、台２の一対の側壁２２に挟み込まれ、外箱１の下部がストッパ片２６ｂに当接して、外箱１のずれが防止され、傾斜角度が維持される。
【００３５】
このように輸送・展示兼用箱を組み立てて、店頭で外箱１の開口部から露出させた商品Ｇを陳列すると、傷や汚れが付きやすい外箱１の胴部外周がカバー３で覆われると共に、外箱１の開口縁の対向する長辺がカバー３で包み込まれ、切欠部４ａの部分で外箱１の内面が折曲片３５で覆われるので、外箱１に両面印刷を施さなくても、カバー３の表面に片面印刷を施しておくだけで、美観に優れた展示を行うことができる。
【００３６】
なお、外箱１の開口縁を包み込む必要がない場合には、図９に示すように、カバー３にＶ字状に折り込む係止片３６を設け、外箱１の開口縁にスリット１１ａを形成し、係止片３６をスリット１１ａに差し込み、係止片３６の基部のスリット３６ａと外箱１のスリット１１ａとが噛み合うようにして、外箱１にカバー３を固定してもよい。
【００３７】
また、図１０に示すように、カバー３にコ字状に折り込む係止片３７を設け、外箱１の開口縁に間隔をあけて２本ずつスリット１１ａを形成し、係止片３７の両端部をスリット１１ａにそれぞれ差し込んで、外箱１にカバー３を固定してもよい。
【図面の簡単な説明】
【００３８】
【図１】第１実施形態に係る輸送・展示兼用箱の展示状態を示す斜視図
【図２】同上の商品の梱包に使用する外箱及び胴枠等を示す分離斜視図
【図３】同上の同梱する台及びカバーを折畳状態で示す分離斜視図
【図４】同上の梱包状態を示す斜視図
【図５】（ａ）台のブランクを示す図、（ｂ）カバーのブランクを示す図
【図６】同上の台の組立状態を示す斜視図
【図７】同上の組み立てたカバーと外箱とを示す分離斜視図
【図８】同上の外箱にカバーを被せる過程を示す斜視図
【図９】第２実施形態に係る外箱及びカバーを示す分離斜視図
【図１０】第３実施形態に係る外箱及びカバーを示す分離斜視図
【図１１】従来の輸送・展示兼用箱の展示状態を示す斜視図
【符号の説明】
【００３９】
１  外箱
２  台
３  カバー
４  胴枠
５  スペーサ
１１  側壁
１２  端壁
１３  フラップ
２１  前壁
２２  側壁
２２ａ  中折線
２３  後壁
２３ａ  ロック穴
２４  継代片
２５  段折板
２６  載置板
２６ａ  折込片
２６ｂ  ストッパ片
２６ｃ，２６ｄ  指入穴
２７  脚板
２７ａ  ロック片
２８  背折板
３１  カバー部材
３２  側板部
３３  端板部
３３ａ  中折線
３４  継代片
３５  折曲片
３５ａ  突出部
３５ｂ  波状縁
４ａ  切欠部
４１  側枠板
４２  棚板
Ｇ  商品
【図１】
2008296942.tif 000003
【図２】
2008296942.tif 000004
【図３】
2008296942.tif 000005
【図４】
2008296942.tif 000006
【図５】
2008296942.tif 000007
【図６】
2008296942.tif 000008
【図７】
2008296942.tif 000009
【図８】
2008296942.tif 000010
【図９】
2008296942.tif 000011
【図１０】
2008296942.tif 000012
【図１１】
2008296942.tif 000013